(57)【要約】【課題】楔緊結式の足場を仮設するにあたり、足場の妻側端部に上段側足場の先行手摺りとして簡単容易に取り付けることができる妻側先行手摺りを提供する。【解決手段】楔緊結式の足場を仮設するにあたり、足場の妻側端部に上段側足場の先行手摺りとして取り付ける妻側先行手摺りであって、水平材５と、水平材５の両端部に夫々一端部が枢着されて、互いに交差する一対の斜材６，７とからなり、水平材５と斜材６，７との各枢着端部には斜材６，７側端部に、支柱２の楔孔３ａ付きフランジ３に係止可能な係止部材８を設け、各斜材６，７の他端部には、足場板幅方向に対向する支柱２，２間に横架される横ステー１０に係止可能な係止フック９を設ける。【選択図】図１
2010229700.tif 000002
【特許請求の範囲】
【請求項１】
楔緊結式の足場を仮設するにあたり、足場の妻側端部に上段側足場の先行手摺りとして取り付ける妻側先行手摺りであって、水平材と、水平材の両端部に夫々一端部が枢着されて、互いに交差する一対の斜材とからなり、水平材と斜材との各枢着端部には水平材側端部又は斜材側端部に、支柱の楔孔付きフランジに係止可能な係止部材を設け、各斜材の他端部には、足場板幅方向に対向する支柱間に横架される横ステーに係止可能な係止フックを設けてなる妻側先行手摺り。
【請求項２】
前記係止部材の先端部はフランジの楔孔に対して上方より挿脱可能な挿入片を形成し、この挿入片には、水平材に下向きの荷重が負荷された時に水平材が撓んで係止部材が水平方向に変移することによりフランジの楔孔の周縁に係止して楔孔からの挿入片の抜け出しを阻止する係止段部を設けてなる請求項１に記載の妻側先行手摺り。
【請求項３】
前記係止フックは、横ステーに対し上方から嵌脱自在に係止されるフック本体と、横ステーに係合してフック本体の上方への移動を阻止するロック部材とからなり、ロック部材は、フック本体の上方への移動を阻止するロック位置とその移動を許す解除位置との間でスライド自在に取り付けられ、常時は自重でロック位置に保持されている請求項１又は２に記載の妻側先行手摺り。
【発明の詳細な説明】
【技術分野】
【０００１】
本発明は、建築現場等での足場の仮設にあたって、足場の妻側端部に上段側足場の先行手摺りとして取り付けられる妻側先行手摺りに関するもので、特に本発明は、楔緊結式足場の仮設に使用される妻側先行手摺りに関する。
【背景技術】
【０００２】
例えば特開２００６−１１２１４９号公報には妻側先行手摺りが記載されているが、この妻側先行手摺りは、左右一対の縦材と両縦材の上端部をつなぐ横材とからなる略門形の足場用建枠を対向させて両建枠間に足場板を架け渡して仮設される建枠式の足場であり、このような妻側先行手摺りを楔緊結式足場に使用することができない。従来の楔緊結式足場にも妻側先行手摺りは使用されるが、従来の楔緊結式足場の妻側先行手摺りとしては、矩形枠状の手摺り本体の左右縦枠の夫々上部及び下部にクランプを装備して、各クランプを支柱に固定するようになっている。
【発明の概要】
【発明が解決しようとする課題】
【０００３】
上記のようクランプ式の妻側先行手摺りを使用した場合は、クランプの取付作業が非常に面倒で、手摺りの取付作業又は分解作業に手間がかかっていた。
【０００４】
本発明は、上記の事情に鑑み、楔緊結式の足場を仮設するにあたり、足場の妻側端部に上段側足場の先行手摺りとして簡単容易に取り付けることができ、また取り外しが容易な妻側先行手摺りを提供することを目的としている。
【課題を解決するための手段】
【０００５】
上記課題を解決するための手段を、後述する実施形態の参照符号を付して説明すると、請求項１に係る発明は、楔緊結式の足場を仮設するにあたり、足場の妻側端部に上段側足場の先行手摺りとして取り付ける妻側先行手摺りであって、水平材５と、水平材５の両端部に夫々一端部が枢着されて、互いに交差する一対の斜材６，７とからなり、水平材５と斜材６，７との各枢着端部には水平材５側端部又は斜材６，７側端部に、支柱２の楔孔３ａ付きフランジ３に係止可能な係止部材８を設け、各斜材６，７の他端部には、足場板幅方向に対向する支柱２，２間に横架される横ステー１０に係止可能な係止フック９を設けてなることを特徴とする。
【０００６】
請求項２は、請求項１に記載の脚立において、前記係止部材８の先端部はフランジ３の楔孔３ａに対して上方より挿脱可能な挿入片１３を形成し、この挿入片１３には、水平材５に下向きの荷重が負荷された時に周壁部２ｂが撓んで係止部材８が水平方向に変移することによりフランジ３の楔孔３ａの周縁に係止して楔孔３ａからの挿入片１３の抜け出しを阻止する係止段部１４を設けてなることを特徴とする
【０００７】
請求項３は、請求項１又は２に記載の妻側先行手摺りにおいて、前記係止フック９は、横ステー１０に対し上方から嵌脱自在に係止されるフック本体１７と、横ステー１０に係合してフック本体１７の上方への移動を阻止するロック部材１８とからなり、ロック部材１８は、フック本体１７の上方への移動を阻止するロック位置とその移動を許す解除位置との間でスライド自在に取り付けられ、常時は自重でロック位置に保持されていることを特徴とする。
【０００８】
上記解決手段による発明の効果を、後述する実施形態の参照符号を付して説明すると、請求項１に係る発明の妻側先行手摺り１は、水平材５と、水平材５の両端部に夫々一端部が枢着されて、互いに交差する一対の斜材６，７とからなり、水平材５と斜材６，７との各枢着端部には水平材５側端部又は斜材６，７側端部に、支柱２の楔孔３ａ付きフランジ３に係止可能な係止部材８を設け、各斜材６，７の他端部には、足場板幅方向に対向する支柱２，２間に横架される横ステー１０に係止可能な係止フック９を設けてなるもので、使用にあたり、作業者が一方の斜材６を立ち上げて、この斜材６の上端部側にある係止部材８を一方側の支柱２の所要のフランジ３の楔孔３ａに挿入した後、他方の斜材７を同様に立ち上げて、この斜材７の上端部にある係止部材８を反対側の支柱２の所要のフランジ３の楔孔３ａに挿入し、そうして両斜材６，７を交差させた状態で、両斜材６，７の下端部の係止フック９，９を前記横ステー１０に係止すればよいから、足場の妻側端部に上段側足場の先行手摺りとして簡単容易に取り付けることができる。また妻側先行手摺り１を取り外す時は、取付時とは逆の順序で簡単容易に取り外すことができる。
【０００９】
請求項２に係る発明によれば、係止部材８の先端部はフランジ３の楔孔３ａに対して上方より挿脱可能な挿入片１３を形成し、この挿入片１３に水平材５に下向きの荷重が負荷された時に周壁部２ｂが撓んで係止部材８が水平方向に変移することによりフランジ３の楔孔３ａの周縁に係止して楔孔３ａからの挿入片１３の抜け出しを阻止する係止段部１４を設けているため、作業者が、自身に取り付けた安全帯を妻側先行手摺り１の水平材５につないで作業を行っている時に足を滑らせるなどして足場板から墜落状態となり、その安全帯を介して水平材５に図３の(b) に示すように下向きの衝撃荷重Ｐが負荷されると、水平材５が同図の仮想線図示のように撓んでその端部が水平方向Ｈに変位し、それにより挿入片１３の係止段部１４が同図実線図示のようにフランジ３の楔孔３ａの周縁３ａｏに係止して、楔孔３ａからの挿入片１３の抜け出しを阻止し、それにより妻側先行手摺り１が支柱２から外れず、作業者の墜落が防止される。
【００１０】
請求項３に係る発明によれば、係止フック９は、横ステー１０に対し上方から嵌脱自在に係止されるフック本体１７と、横ステー１０に係合してフック本体１７の上方への移動を阻止するロック部材１８とからなるもので、ロック部材１８はフック本体１７の上方への移動を阻止するロック位置とその移動を許す解除位置との間でスライド自在に取り付けてあって、常時は自重でロック位置に保持され、係止フック９を横ステー１０に係止させる時は、ロック位置に保持されているロック部材１８を作業者が手でロック解除位置へ引き上げてロック解除状態で横ステー１０に係止させればよく、ロック部材１８から手を離せば、ロック部材１８が自重によりロック位置へスライドして、ロック位置に保持されるから、横ステー１０への係止が容易となり、また一旦横ステー１０に係止すれば、自動的にロック状態となるから、不測に外れることがない。
【図面の簡単な説明】
【００１１】
【図１】(a) は本発明の一実施形態による妻側先行手摺りを示す正面図、(b) は平面図である。
【図２】図１の(a) の矢印Ａで示す部分の拡大図、(b) は(a) のＸ−Ｘ線拡大断面図、(c) は(a) のＹ−Ｙ線拡大断面図である。
【図３】(a) は係止部材の取付状態を示す図２の(a) と同様な図面、(b) は係止部材の作用を示す説明図である。
【図４】図１の(a) の矢印Ｂで示す部分の拡大図、(b) はその側面図である。
【図５】図１の(a) の矢印Ｃで示す部分の拡大図、(b) はその平面図である。
【図６】同上の妻側先行手摺りの取付状態を示す斜視図である。
【図７】本発明の他の実施形態による妻側先行手摺りを示す正面図である。
【発明を実施するための形態】
【００１２】
以下に本発明の好適な一実施形態を図面に基づいて説明すると、図１〜図６において、１は本発明に係る妻側先行手摺りを示し、この妻側先行手摺り１は、楔緊結式の足場を仮設するにあたり、既設の下段側足場板４から新設される上段側足場板４の先行手摺りとして、仮設足場の足場板幅方向に対向する支柱２，２間に取り付けるものである。足場板４は図６に図示している。
【００１３】
尚、楔緊結式足場は、建物躯体の外壁（図示せず）に近い側に鋼管からなる内側の支柱２を配置して、この内側支柱２を壁つなぎ材（図示せず）によって建物躯体の外壁に固定し、この内側支柱２に対向して外側支柱２を配置し、これら内外の支柱２，２間に横ステー１０を取り付け、建物躯体に沿って水平方向に対向する横ステー１０，１０間に足場板４を架け渡し、そして各内側及び外側の支柱２を順次高所に向かって連結しながら、上記の作業を繰り返すことによって、足場板を多段状に架設するもので、本発明に係る妻側先行手摺り１は、順次新設する上段側足場の先行手摺りとなり、架設作業の安全性を確保し、作業性の向上を図ることができる。各支柱２には長さ方向に所定間隔おきに楔孔３ａ付きフランジ３が設けてある。
【００１４】
この妻側先行手摺り１は、図１から分かるように、水平材５と、この水平材５の両端部に夫々一端部（上端部）がボルト・ナット１５（枢軸部）により枢着されて、互いに交差する一対の斜材６，７とからなるもので、水平材５と斜材６，７との各枢着端部には各斜材６，７側の端部に、支柱２のフランジ３の楔孔３ａに係止可能な係止部材８が設けられ、各斜材６，７の他端部（下端部）には、足場板幅方向に対向する支柱２，２間に横架される横ステー１０に係止可能な係止フック９が設けられている。
【００１５】
係止部材８は、図２の(a) 〜(c) に示すように、斜材６の一端部に溶接によって固着された板状本体１２と、この板状本体１２の先端側に溶接によって下向きに一体に突出ように取り付けられた軸状体からなる挿入片１３とにより構成され、この挿入片１３は、上部側の径小軸部１３ａと下部側の径大軸部１３ｂとからなるもので、径小軸部１３ａと径大軸部１３ｂとの間に係止段部１４が形成されている。また、挿入片１３の径大軸部１３ｂは、その下部側が下窄まりテーパ状のガイド部１３ｂｏを形成している。
【００１６】
図３の(a) は妻側先行手摺り１を足場板幅方向に対向する内外の支柱２，２間に架設した時に係止部材８の挿入片１３がフランジ３の楔孔３ａに挿入した状態を示す。この挿入片１３は、径大軸部１３ｂの下部側が下窄まりテーパ状の挿入ガイド部１３ｂｏを形成しているため、フランジ３の楔孔３ａに上方より挿入片１６を挿入する際にその挿入が容易となる。
【００１７】
図３の(b) は上記挿入片１３の作用を示したもので、作業者が、自分の身に付けた安全帯（図示せず）を妻側先行手摺り１の水平材５につないで作業を行っている時に足を滑らせるなどして足場板４から墜落状態となり、その安全帯を介して水平材５に下向きの衝撃荷重Ｐが負荷されると、同図の仮想線で示すように水平材５が撓んで水平材５の端部が水平方向Ｈに変位し、それにより挿入片１３の係止段部１４が同図実線図示のようにフランジ３の楔孔３ａの周縁３ａｏに係止して、楔孔３ａからの挿入片１６の抜け出しを阻止し、それにより妻側安全手摺り１が支柱２から外れなくなって、作業者の墜落が防止されることになる。
【００１８】
上記係止部材８の挿入片１３を板状本体１２に取り付けるには、図２の(b) 及び(c) に一例を示すように、板状本体１２の先端側に挿入片１３の径小軸部１３ａを嵌め込み可能な開口部１２ｏを形成して、これに径小軸部１３ａの上部側を嵌め込み、この嵌め込んだ一径小軸部１３ａを板状本体１２の開口部１２ｏ部分に溶接して固着すればよい。
【００１９】
係止フック９は、図４の(a) ，(b) に示すように、各斜材６，７の他端部（下端部）に取付部片１６を介して取り付け固定され、支柱２，２間に横架される横ステー１０に対し上方より嵌脱自在に係止されるフック本体１７と、横ステー１０に掛合してフック本体１７の上方への移動を阻止するロック部材（一般には落下錠と称される）１８とからなり、ロック部材１８は、上下２箇所の長孔ａ，ｂに夫々通されてフック本体１４ａに固定されたピン１９，２０により、図４の(b) に示すようなロック位置と、図示位置から上方へスライドしたロック解除位置との間でスライド自在に取り付けられ、常時は自重によって図示のようなロック位置に保持されている。
【００２０】
従って、係止フック９を横ステー１０に係止させる時は、ロック位置に保持されているロック部材１８を作業者が手でロック解除位置へ引き上げてロック解除状態で横ステー１０に係止させればよく、そしてロック部材１８から手を離せば、ロック部材１８が自重によりロック位置へスライドして、自動的にロック位置に保持される。
【００２１】
横ステー１０の両端部は、夫々固定金具２２を介して、足場板幅方向に対向する支柱２，２のフランジ３，３に固定される。この固定金具２２は、図５の(a) ，(b) に示すように、支柱２のフランジ３に跨嵌されるように側面視略コ字状に形成されて、その先端側上下部に楔孔２３ａ，２３ｂを有し、基端部が横ステー１０の端部に固着された固定シュー２３と、この固定シュー２３の楔孔２３ａ，２３ｂとフランジ３の楔孔３ａとにわたって挿着される楔２４とからなる。
【００２２】
上記固定金具２２の取付けにあたっては、図５の(a) ，(b) に示すように、固定シュー２３を支柱２のフランジ３に跨嵌して、楔２４を固定シュー２３の上部及び下部楔孔２３ａ，２３ｂとフランジ３の楔孔３ａとに挿入して、ハンマーで打ち込めばよい。尚、各楔２４の下端部には隆起部２４ａが形成されていて、楔２４を上方に引き出している時は、隆起部２４ａが肉厚であるから、固定シュー２３の上部楔孔２３ａから抜け出ないようにし、これによって楔２４の紛失う防ぐことができる。この場合、下部楔孔２３ｂは上部楔孔２３ａよりも幅広に形成され（図５の(b) 参照）、隆起部２４ａに支障を受けることなく、下部楔孔２３ｂを通過して下方まで打ち込むことができるようになっている。
【００２３】
上記のような構成よりなる妻側先行手摺り１の使用について説明すると、この妻側先行手摺り１は、楔緊結式の足場を仮設するにあたり、既設の下段側足場板４から新設される上段側足場板４の先行手摺りとして、仮設足場の足場板幅方向に対向する支柱２，２間に取り付けるものであるが、先ず、内外支柱２，２間において１段目足場板４の仮設高さに対応する位置に横ステー１０を横架し、この横ステー１０に両斜材６，７の下端部の係止フック９，９が係止できるように水平材５の両端部の係止部材８，８を内外支柱２，２の所要高さ位置にあるフランジ３，３に夫々係止し、しかして両斜材６，７を交差させた状態で、両斜材６，７の下端部の係止フック９，９を前記横ステー１０に係止することにより、妻側先行手摺り１を取り付ける。
【００２４】
係止部材８の取付けにおいては、作業者が一方の斜材６を垂直に立ち上げて、この斜材６の上端部側にある係止部材８の挿入片１６を、一方側の支柱２の所要のフランジ３の楔孔３ａに上方より挿入した後、他方の斜材７を同様に立ち上げて、水平材５を水平姿勢に保持した状態で、この斜材７の上端部にある係止部材８の挿入片１６を反対側の支柱２の所要のフランジ３の楔孔３ａに挿入すればよい。
【００２５】
上記のようにして１段目足場の妻側端部となる妻側先行手摺り１を取り付けたならば、この１段目の足場の対向する横ステー１０，１０間に１段目足場板４をその両端部にあるフック４ａ，４ａを介して掛架する。こうして掛架した１段目足場板４の上に作業者が乗って、内外支柱２の継ぎ足しを行うと共に、その継ぎ足した内外支柱２，２間には２段目足場板４の仮設高さに対応する位置に横ステー１０を横架する。この支柱２の継ぎ足し作業や横ステー１０の横架作業時には、１段目足場の妻側端部に妻側先行手摺り１が先行して取り付けられているため、作業者は、この妻側先行手摺り１によって作業を安全に行うことができる。
【００２６】
以降は、上述したような作業を繰り返し行い、足場の妻側端部において、新設する上段側足場の先行手摺りとして妻側先行手摺り１を取り付けてゆく。図６は足場の妻側端部に先行手摺り１を取り付けた状態を示したものである。この場合、妻側先行手摺り１は、各段の足場の内外支柱２，２間及び横ステー１０にそのまま付け置きしてもよいし、先行手摺りとしての役割う果たした後、その先行手摺り１を取り外して、次の上段側足場の先行手摺り１として取り付けるようにしてもよい。
【００２７】
尚、図６において、２５は足場板長さ方向に対向する支柱２，２間に掛け渡された手摺り部材で、各手摺り部材２５の両端部には夫々固定金具２６が設けてあり、各固定金具２６は、前記横ステー１０の両端部に夫々設けてある固定金具２２と同じ様に、支柱２のフランジ３に跨嵌されるように側面視略コ字状に形成されてその先端側に楔孔（図示せず）を有し、基端部が手摺り部材２５に取り付けられた固定シュー２７と、この固定シュー２７の楔孔とフランジ３の楔孔３ａとに亙って挿着される楔２８とからなるもので、各手摺り部材２５の端部は、この固定金具２６によって支柱２のフランジ３に固定されるようになっている。
【００２８】
図１〜図３、図６に示す妻側先行手摺り１は、水平材５と斜材６，７との各枢着端部の斜材６，７側端部に係止部材８が設けられているが、図７に示す妻側先行手摺り１１は、水平材５と斜材６，７との各枢着端部の水平材５側端部に係止部材８が設けられている。即ち、図７の妻側先行手摺り１１では、水平材５の両端部に取付片２９，２９が取り付けられ、これらの取付片１９，１９に斜材６，７の一端部が夫々ボルト・ナット１５（枢軸）で枢着され、水平材５の各端部に係止部材８が一体に設けられ、この係止部材８の先端部は、妻側先行手摺り１と同様であって、フランジ３の楔孔３ａに対し上方より挿脱自在な挿入片１３を形成し、この挿入片１３には、水平材５に下向きの荷重が負荷された時に水平材５が撓んで係止部材８が水平方向に変位することによりフランジ３の楔孔３ａの周縁３ａｏに係止して、孔３ａからの挿入片１３の抜け出しを阻止する係止段部１４が設けられ、各斜材６，７の他端部には、足場板幅方向に対向する支柱２，２間に横架される横ステー１０に係止可能な係止フック９が設けられている。係止フック９は、図４の(a) ，(b) に示す構造と同じである。
【符号の説明】
【００２９】
１，１１      妻側先行手摺り
２            支柱
３            フランジ
３ａ          フランジの楔孔
４            足場板
５            水平材
６，７        斜材
８            係止部材
９            係止フック
１０          横ステー
１３          挿入片
１４          係止段部
１７          フック本体
１８          ロック部材
【図１】
2010229700.tif 000003
【図２】
2010229700.tif 000004
【図３】
2010229700.tif 000005
【図４】
2010229700.tif 000006
【図５】
2010229700.tif 000007
【図６】
2010229700.tif 000008
【図７】
2010229700.tif 000009